(57)【要約】【課題】  手振れ補正部上に配置された撮像素子ユニットと主基板を接続するフレキシブルプリント基板上の配線本数を削減可能にした撮像装置を提供する。【解決手段】  同一基板上に配置された撮像素子120 と該撮像素子の信号の伝送のための配線106 を有する撮像素子ユニット101 と、撮像素子ユニットの配線と主基板103 の配線109 とを電気的に接続するフレキシブルプリント基板110 と、撮像素子ユニットを撮像光学系の光軸に直交する面上で駆動する手振れ補正部104 ，105 と、主基板及び手振れ補正部が固定される本体部130 とを有する撮像装置において、撮像素子ユニットは撮像素子の信号を伝送するための第１の端子107 、主基板は第１の端子との間で信号の伝送を行う第２の端子108 を有し、第１及び第２の端子間で信号の伝送を行う際、第１及び第２の端子を信号伝送可能な位置関係に固定するように、手振れ補正部を制御する駆動制御部125 を備える。【選択図】        図１
2009111682.tif 000002
【特許請求の範囲】
【請求項１】
同一基板上に配置され、撮像光学系を介してその受光面で受光した光を光電変換する撮像素子と、該撮像素子に係る信号の伝送のための配線を有する撮像素子ユニットと、
前記撮像素子ユニットの配線と主基板の配線とを電気的に接続するフレキシブルプリント基板と、
前記撮像素子ユニットを前記撮像光学系の光軸に直交する面上で駆動する手振れ補正部と、
前記主基板及び前記手振れ補正部が固定される本体部とを有する撮像装置において、
前記撮像素子ユニットは、前記撮像素子に係る信号を伝送するための第１の端子を有し、
前記主基板は、前記第１の端子との間で信号の伝送を行う第２の端子を有し、
前記第１の端子と前記第２の端子との間で信号の伝送を行う際、前記第１の端子と前記第２の端子とを信号伝送可能な位置関係に固定するように、前記手振れ補正部を制御する駆動制御部を備えていることを特徴とする撮像装置。
【請求項２】
前記第１の端子は、前記撮像素子に係る信号として、該撮像素子の駆動を制御する信号、又は該撮像素子により生成される映像信号の少なくとも一方を伝送するものであることを特徴とする請求項１に係る撮像装置
【請求項３】
前記駆動制御部は、前記第１の端子と前記第２の端間での信号伝送可能な位置関係の固定を、前記撮像素子の露光期間以外の期間に行うことを特徴とする請求項１又は２に係る撮像装置
【請求項４】
前記第１の端子と前記第２の端子とは、接触、又は非接触の少なくとも一方の状態にて、信号の伝送を行うことを特徴とする請求項１〜3 のいずれか１項に係る撮像装置。
【発明の詳細な説明】
【技術分野】
【０００１】
この発明は、撮像装置に関し、特に手振れ補正機構上に配置された撮像素子の信号伝送手段を改善した撮像装置に関する。
【背景技術】
【０００２】
従来より、デジタルスチルカメラにおいて、その撮影時に手振れによって起こる光軸のズレを補正して、鮮明な画像を得る手振れ補正技術が実用化されている。これらの手振れ補正技術のうち、撮像素子を撮像光学系の光軸と略垂直な面内で移動させて補正するタイプのものは、使用する撮像光学系全てに対応することができる利点を有するものである。  この撮像素子を移動させるタイプのものに関して、撮像素子とその他の部品を搭載し、撮像素子と共に移動する撮像素子ユニットに、一方の端部が接続されたフレキシブルプリント基板を配設した撮像装置が知られている（特許文献１参照）。  
【０００３】
この構成の撮像装置を図６に示す。図６において、15は撮像素子であり、この撮像素子15が基板17に実装され撮像素子ユニットを形成している。この撮像素子ユニットよりフレキシブル基板67が引き出され、別の基板18に接続されている。ここでは、前記フレキシブルプリント基板67を67ｔに示すとおり撓ませて組み込むことで、撮像素子15を含めた基板17が、手振れ補正のために、光軸と垂直な方向に移動しても、基板17に対して負荷をかかりにくくすることができるようになっている。なお、図６において、65はローパスフィルタ、３は鏡胴、86は撮影ユニット開口を示している。
【０００４】
更に、図７の（Ａ）〜（Ｃ）に示すように、フレキシブルプリント基板67の撓み方向に切り込みを入れることで、よりフレキシブルプリント基板を柔らかく構成することを可能としている。図７の（Ａ）は、弛みの部位に、弛み方向に切り込み100aを形成している例であり、図７の（Ｂ）は、弛みの部位に、弛み方向にスリット100bを形成している例であり、図７の（Ｃ）は、弛みの部位に、弛み方向にスリット100cを形成している他の例を示している。なお、67ｃは回路パターン、67ｓは接続部を示している。
【特許文献１】特開２００７−４３１２９号公報
【発明の開示】
【発明が解決しようとする課題】
【０００５】
ところで、撮像素子の多画素化により、撮像素子の受光部で得られた映像信号を高速に読み出そうとすると、信号出力線の多線化が必要であり、出力信号線の本数が増加してしまう。ＡＤ変換器を内蔵した撮像素子においては、更に量子化ビット数に対応した信号線の本数が必要である。更に、撮像素子の多機能化によって、その機能を制御するため、さまざまな制御信号が必要となり、ここでも信号配線数が増加してしまう。
【０００６】
以上のような背景により、撮像素子ユニットと、主基板との間を接続するフレキシブルプリント基板には、多くの配線を配設する必要がでてくる。これにより、フレキシブルプリント基板幅が太くなったり、これを接続するためのコネクタが大きくなったりする。また、配線数が増えることにより、金属導体の領域が増えると、フレキシブルプリント基板が硬くなる。撮像素子ユニットと主基板を接続する際、フレキシブルプリント基板が硬いと、撮像素子ユニットにより大きな負荷がかかってしまう。負荷が大きいと、これを駆動する手振れ補正部の駆動に、より多くの消費電力が必要になってしまう。
【０００７】
本発明は、上記課題に鑑みなされたもので、手振れ補正部上に配置された、撮像素子ユニットと主基板とを接続する、フレキシブルプリント基板上の配線の本数を削減することで、フレキシブルプリント基板を柔らかく構成できるようにした撮像装置を提供することを目的とする。
【課題を解決するための手段】
【０００８】
上記課題を解決するため、請求項１に係る発明は、同一基板上に配置され、撮像光学系を介してその受光面で受光した光を光電変換する撮像素子と、該撮像素子に係る信号の伝送のための配線を有する撮像素子ユニットと、前記撮像素子ユニットの配線と主基板の配線とを電気的に接続するフレキシブルプリント基板と、前記撮像素子ユニットを前記撮像光学系の光軸に直交する面上で駆動する手振れ補正部と、前記主基板及び前記手振れ補正部が固定される本体部とを有する撮像装置において、前記撮像素子ユニットは、前記撮像素子に係る信号を伝送するための第１の端子を有し、前記主基板は、前記第１の端子との間で信号の伝送を行う第２の端子を有し、前記第１の端子と前記第２の端子との間で信号の伝送を行う際、前記第１の端子と前記第２の端子とを信号伝送可能な位置関係に固定するように、前記手振れ補正部を制御する駆動制御部を備えていることを特徴とするものである。
【０００９】
請求項２に係る発明は、請求項１に係る撮像装置において、前記第１の端子は、前記撮像素子に係る信号として、該撮像素子の駆動を制御する信号、又は該撮像素子により生成される映像信号の少なくとも一方を伝送するものであることを特徴とするものである。
【００１０】
請求項３に係る発明は、請求項１又は２に係る撮像装置において、前記駆動制御部は、前記第１の端子と前記第２の端間での信号伝送可能な位置関係の固定を、前記撮像素子の露光期間以外の期間に行うことを特徴とするものである。
【００１１】
請求項４に係る発明は、請求項１〜３のいずれか１項に係る撮像装置において、前記第１の端子と前記第２の端子とは、接触、又は非接触の少なくとも一方の状態にて、信号の伝送を行うことを特徴とするものである。
【発明の効果】
【００１２】
請求項１に係る発明によれば、撮像素子ユニットと主基板を接続するためのフレキシブルプリント基板上の配線を介して伝送される信号のうちの一部を、撮像素子ユニットと主基板とに配設した第１及び第２の端子を介して行う。これにより撮像素子ユニットと主基板を接続するためのフレキシブルプリント基板の信号線（配線）本数を削減することできるので、フレキシブルプリント基板を柔らかく構成した撮像装置を実現することが可能となる。また請求項２に係る発明によれば、制御信号だけでなく、映像信号も第１及び第２の端子を介して伝送することで、フレキシブルプリント基板の更なる配線の本数を削減することが可能となる。また請求項３に係る発明によれば、撮像素子ユニットと主基板を第１及び第２の端子により接続し、信号を伝送するための期間を与えることが可能となる。また請求項４に係る発明によれば、撮像素子ユニットと主基板間の信号伝送を行う第１及び第２の端子の構成を、適宜選択できるようにすることが可能になる。
【発明を実施するための最良の形態】
【００１３】
次に、本発明を実施するための最良の形態について説明する。
【実施例】
【００１４】
まず、本発明に係る撮像装置の実施例１について説明する。図１は、実施例１に係る撮像装置の概略構成を示す概念図である。図１において、120 は図示していない撮像光学系を介してその受光面で受光した光を光電変換する撮像素子、101 は該撮像素子120 が実装されてなる撮像素子ユニットを示す。本実施例においては、撮像素子ユニット101 には、撮像素子の他、タイミングジェネレータ（以下ＴＧと略称する）121 やアナログフロントエンドＩＣ（以下ＡＦＥと略称する）122 が搭載されている例を示している。また、撮像装置内部の本体部130 には、主基板103 が配置され、ここに信号処理ＩＣ123 や電源ＩＣ124 や駆動制御部125 などが配置されている。
【００１５】
撮像素子ユニット101 は、手振れ補正枠102 上に構成されるＹ方向の手振れ補正部105 によって保持されている。更に、手振れ補正枠102 は、Ｘ方向手振れ補正部104 により保持され、該Ｘ方向手振れ補正部104 は、撮像装置内部の本体部130 に固定されている。そして、Ｘ方向手振れ補正部104 とＹ方向手振れ補正部105 は、撮像素子ユニット101 を撮像光学系の光軸に直交する面上で駆動するようになっている。撮像素子ユニット101 上に配置される撮像素子120 やＴＧ121 ，ＡＦＥ122 などから引き出された撮像素子ユニット内配線106 は、撮像素子ユニット側コネクタ111 を介して、フレキシブルプリント基板110 の片方に接続される。一方、フレキシブルプリント基板110 の他方端部は、主基板103 に配置された主基板側コネクタに接続され、そこから、主基板配線109 を介して主基板103 上に配置される信号処理ＩＣ123 や電源ＩＣ124 などに接続される。
【００１６】
ここで一部の撮像素子ユニット内配線106 は、撮像素子ユニット101 に形成された第１の端子107 に接続される。また、第１の端子107 に対応して主基板103 に配置される第２の端子108 からは、主基板103 上に延在して配設される主基板配線109 によって信号処理ＩＣ123 に接続される。なお、第１の端子107 及び第２の端子108 における伝送に割り当てられる信号としては、撮像素子ユニット101 に搭載されている撮像素子120 やＴＧ121 ，ＡＦＥ122 等の部品の制御信号や、撮像素子120 より出力される映像信号を含む。ここで映像信号は、アナログ出力、デジタル出力を問わない。
【００１７】
第１の端子107 及び第２の端子108 における信号の伝送は、以下のように行われる。駆動制御部125 によりＸ方向手振れ補正部104 及びＹ方向の手振れ補正部105 を制御し、第１の端子107 と第２の端子108 との間で信号の伝送が可能な第１の位置へ、撮像素子ユニット101 を移動し固定する。その後、第１の端子107 と第２の端子108 間において信号の伝送を行う。なお、本実施例においては、撮像素子ユニット101 には、撮像素子120 の他、ＴＧ121 やＡＦＥ122 が搭載されている例を示しているが、これらのＴＧ121 やＡＦＥ122 は撮像素子120 の中の機能の一部として、撮像素子120 と集積化してもよいことは言うまでもない。
【００１８】
このように構成することで、フレキシブルプリント基板110 上の配線を介して伝送される信号のうちの一部を、撮像素子ユニット101 に配置された第１の端子107 及び主基板側に配置された第２の端子108 を介して伝送できるため、フレキシブルプリント基板110 上の信号線（配線）本数を削減することが可能となり、したがって、フレキシブルプリント基板110 を柔らかく構成することができる。
【００１９】
次に、図２のタイムチャートを用いて本実施例の動作について説明する。具体的には、ファインダモードを有する撮像装置に適用した場合について動作の説明を行う。図２において、第１の位置は、図１における第１の端子107 と第２の端子108 が信号の伝送を行うことが可能な位置を示す。第２の位置は、第１の位置以外の位置で、一般的に組み立て時に決定される位置もしくは、撮像光学系の光軸中心と撮像素子120 の受光面中心が一致する位置である。
【００２０】
図２に示すように、時刻Ｔ＝Ｔ１でシャッターボタンが半押しされる（Ｓ１：ＯＮ）まで、撮像素子ユニット101 は、第１の位置もしくは第２の位置に設定される。ここで撮像素子ユニット101 が第１の位置にある場合は、第１及び第２の端子を介して信号の伝送が可能である。ここで伝送される主な信号としては、撮像素子ユニット101 に搭載されている撮像素子120 やＴＧ121 ，ＡＦＥ122 等の部品の制御信号などが挙げられる。
【００２１】
そして、時刻Ｔ＝Ｔ１でシャッターボタンが半押しされると、撮像素子ユニット101 は、第１の位置に移動し、本撮影のための制御信号の伝送が行われる。ここで伝送される主な信号としても、撮像素子ユニット101 に搭載されている撮像素子120 やＴＧ121 ，ＡＦＥ122 等の部品の制御信号などであり、その制御信号の伝送はシャッターボタンが半押しされている期間継続される。
【００２２】
そして、シャッターボタンの半押し操作が解除されることなく、時刻Ｔ＝Ｔ２でシャッターボタンが全押しされる（Ｓ２：ＯＮ）と、駆動制御部125 は、撮像素子ユニット101 の第１の端子107 を主基板103 の第２の端子108 から離間させると同時に、Ｙ方向手振れ補正部105 及びＸ方向手振れ補正部104 に対して手振れ補正のための駆動を行う。一方、時刻Ｔ３〜Ｔ４の期間メカシャッターが開となり、撮像素子120 は図示されていない撮像光学系によって形成される像の露光を行う。  
【００２３】
そして、時刻Ｔ＝Ｔ４において、駆動制御部125 は、Ｙ方向手振れ補正部105 及びＸ方向手振れ補正部104 に対して手振れ補正のための駆動を停止し、撮像素子ユニット101 を第１の位置に移動させる。その後、時刻Ｔ＝Ｔ４〜Ｔ５の期間において、第１及び第２の端子を介して信号の伝送が行われる。ここでの信号は撮像素子ユニット101 に搭載されている撮像素子120 やＴＧ121 ，ＡＦＥ122 等の部品の制御信号の他、撮像素子120 によって読み出され生成された画像信号も含まれる。
【００２４】
その後、時刻Ｔ＝Ｔ５において画素信号の出力動作（撮像素子の読み出し動作）が終了した後、撮像素子ユニット101 は、第１の位置もしくは第２の位置に配置される。ここで撮像素子ユニット101 が第１の位置にある場合は、第１及び第２の端子を介して信号の伝送が可能である。ここで伝送される主な信号としても、撮像素子ユニット101 に搭載されている撮像素子120 やＴＧ121 ，ＡＦＥ122 等の部品の制御信号などが挙げられる。
【００２５】
以上のように、本実施例では、シャッターボタンが全押しされメカシャッターが開き露光が行われる期間（Ｔ３〜Ｔ４）を除き、撮像素子ユニット101 を第１の位置に固定させることにより、第１及び第２の端子を介して信号の伝送を行うように構成しているため、撮像素子ユニット101 と主基板103 を接続するためのフレキシブルプリント基板上の信号線本数を削減し、フレキシブルプリント基板を柔らかく構成することが可能となる上、撮像動作を支障なく合わせて行うことが可能となる。
【００２６】
次に、図３のタイムチャートを用いて、ビューファインダモードを有する撮像装置に図１に示した本実施例を適用した場合についての動作を説明する。ビューファインダモードでは、撮像素子120 は常に露光状態にあり撮像動作が行われるため、画像信号が継続的に出力されることになる。本実施例では、撮像素子ユニット101 上の第１の端子107 と主基板103 上の第２の端子108 とを第１の位置に固定するために、手振れ補正部の駆動を利用している。このため、撮像素子ユニット101 を第１の位置に移動させると、ビューファインダモード撮影時、光学系が形成するイメージサークルを外れるために、取得画像に不具合を生ずる可能性がある。このため、ここで撮像素子ユニット101 から伝送される主な信号としては、撮像素子ユニット101 に搭載されている撮像素子120 やＴＧ121 ，ＡＦＥ122 等の部品の制御信号などに限定される。
【００２７】
図３において、撮像素子ユニットの第１の位置は、図１における第１の端子107 と第２の端子108 が信号伝送を行うことが可能な位置を示す。撮像素子ユニットの第２の位置は、第１の位置以外の位置で、一般的に組み立て時に決定される位置もしくは、光学系の光軸中心と撮像素子120 の受光面中心が一致する位置である。
【００２８】
図３に示すように、時刻Ｔ＝Ｔ１でシャッターボタンが半押しされる（Ｓ１：ＯＮ）まで、ビューファインダモードが設定されるときは、撮像素子ユニット101 は、常に撮像素子120 において露光が行われるため、第２の位置に設定される。この間は、撮像素子ユニット101 の第１の端子107 と主基板の第２の端子108 が離間された状態にあるため、信号の伝送は出来ない。
【００２９】
そして、時刻Ｔ＝Ｔ１でシャッターボタンが半押しされると、ここで撮像素子ユニット101 が第１の位置に移動し、第１及び第２の端子107 ，108 を介して信号の伝送が可能となる。ここで伝送される主な信号は、撮像素子ユニット101 上に配置される、撮像素子100 を含めたＩＣ類の駆動制御信号などである。第１及び第２の端子間の信号の伝送はシャッターボタンが半押しされている期間継続される。この際も通常のビューファインダ画像の取得はされているが、前述したように光学系が形成するイメージサークルを外れるために、取得画像に不具合を生ずる可能性がある。このため、液晶などの表示装置には、ビューファインダの取得画像における最終フレームを表示するなどしておく。
【００３０】
シャッターボタンの半押し操作が解除されることなく、時刻Ｔ＝Ｔ２でシャッターボタンが全押しされる（Ｓ２：ＯＮ）と、駆動制御部125 は、撮像素子ユニット101 の第１の端子107 を主基板103 の第２の端子108 から離間させると同時に、Ｙ方向手振れ補正部105 及びＸ方向手振れ補正部106 に対して手振れ補正のための駆動を行い、一方、時刻Ｔ２〜Ｔ３の期間、メカシャッターを閉じると共に撮像素子の蓄積電荷のリセットを行い、時刻Ｔ３〜Ｔ４の期間、撮像素子は光学系によって形成される像の本露光を行う。
【００３１】
そして、時刻Ｔ＝Ｔ４において、駆動制御部125 は、Ｙ方向手振れ補正部105 及びＸ方向手振れ補正部106 に対する手振れ補正のための駆動を停止し、撮像素子ユニット101 を第１の位置に移動させる。時刻Ｔ４〜Ｔ５の、撮像素子が本露光の後の信号の読み出し期間に入っている間は、メカシャッターは閉じているため、この時刻Ｔ＝Ｔ４〜Ｔ５間に、撮像素子ユニットの制御信号が必要な場合、撮像素子ユニットを第１の位置に移動させ、第１の端子及び第２の端子を介して信号伝送を行う。ここで第１及び第２の端子間で伝送される主な信号としても、撮像素子ユニット101 上に配置される、撮像素子100 を含めたＩＣ類の駆動制御信号などがあげられる
【００３２】
その後、時刻Ｔ＝Ｔ５において画素信号の出力動作（撮像素子の読み出し動作）が終了した後、撮像素子ユニット101 は、第２の位置に設定される。この時刻Ｔ５以降は、撮像素子ユニットの第１の端子107 と主基板の第２の端子108 が離間された状態（第２の位置）にあるため、信号の伝送はできない。
【００３３】
以上のように、本実施例では、シャッターボタンが全押しされメカシャッターが開き、露光が行われる期間（Ｔ３〜Ｔ４）を除いた期間のうち、シャッターボタンが半押しの期間と、メカシャッターが閉じて撮像素子が信号を読み出している期間のみ、撮像素子ユニット101 を第１の位置に固定させることにより、第１及び第２の端子を介して信号の伝送を行うようにしている。これにより、ビューファインダモードを有する撮像装置においても、撮像素子ユニット101 と主基板103 を接続するためのフレキシブルプリント基板上に形成された、特に制御信号のための信号線本数を削減することが可能となり、したがって、撮像素子ユニット101 と主基板103 を接続するためのフレキシブルプリント基板上の信号線本数を削減し、フレキシブルプリント基板を柔らかく構成することが可能となる上、撮像動作を支障なく合わせて行うことが可能となる。
【００３４】
上記撮像素子ユニットの第１の端子と主基板の第２の端子の接続構成に関しては、接触、非接触を問わない。次に、第１の端子と第２の端子の接続手段の具体的な構成について説明する。まず第１の端子と第２の端子を接触することにより信号の伝送を行う場合の端子の構成を、実施例２として図４の（Ａ），（Ｂ）に基づいて説明する。なお、図４の（Ａ）は平面図、図４の（Ｂ）は図４の（Ａ）のＸ−Ｘ′線に沿う断面図である。図４の（Ａ），（Ｂ）において、撮像素子ユニット201 上には、第１の端子207 が必要な信号線本数分形成され、撮像素子との間を撮像素子ユニット配線206 によって接続されている。一方、主基板203 には、第２の端子208 が必要な信号線本数分形成され、主基板配線209 が接続されている。ここで、第２の端子208 は板バネにて形成され、固定治具210 にて主基板203 に固定される。
【００３５】
この構成により、第２の端子208 である板バネが第１の端子207 に接触した際に、この接点を介して信号の伝送を行うことが可能となる。
【００３６】
図４の（Ａ），（Ｂ）では、板バネによる接触例を示したが、これに限定することなく、接触のショックを弱めて且つ確実に電気信号の伝送が確保できる接続手段であれば、その構成は問わない。更に、第１の端子に板バネを適用した場合を示したが、第２の端子に、板バネを適用してもかまわない。
【００３７】
次に、第１の端子307 と第２の端子308 において、非接触にて信号伝送を行う具体的な構成を実施例３として図５の（Ａ），（Ｂ）に基づいて説明する。なお、図５の（Ａ）は平面図、図５の（Ｂ）は図５の（Ａ）のＹ−Ｙ′線に沿った断面図である。図５の（Ａ），（Ｂ）において、撮像素子ユニット301 上には、第１の端子307 が、必要な信号線本数分形成され、撮像素子との間を撮像素子ユニット配線306 によって接続されている。一方、主基板303 には、第２の端308 が、必要な信号線本数分形成され、主基板配線309 が接続されている。ここで、第１の端子及び第２の端子308 は、スパイラルインダクタにて形成される例を示している。撮像素子ユニット配線306 と第１の端子307 の間、及び第２の端子308 と主基板配線の間には復調回路310 を挿入している。この復調回路310 は、端子間の誘導結合による電流変化を信号データに復調する機能を有している。
【００３８】
この構成により、第１及び第２の端子307 ，308 であるスパイラルインダクタが近接した位置に固定されたとき、これらの端子307 ，308 を介して信号の伝送を行うことが可能となる。
【００３９】
図５の（Ａ），（Ｂ）においては、スパイラルインダクタを用いた誘導結合による信号伝送を例に挙げたが、無論これに限定されるものではなく、容量結合を用いた電気信号の伝送であってもよいし、光を用いた光伝送等を適用してもよく、数10μｍ〜１ｍｍ程度の距離間を非接触にて電気信号を確実に伝送できる手段であれば、その手法は問わない。
【００４０】
このように撮像ユニットと主基板間の信号伝送を、第１の端子及び第２の端子をそれぞれの基板に構成し、駆動制御部により、Ｘ方向手振れ補正部及びＹ方向の手振れ補正部を制御し、第１の端子と第２の端子を信号の伝送が可能な第１の位置への固定を行うことにより、電気信号の伝送手段が確保可能となる。これにより、フレキシブルプリント基板上の配線を極力少なく構成することで、フレキシブルプリント基板面積を縮小し、更に柔らかく構成することができる。
【図面の簡単な説明】
【００４１】
【図１】本発明に係る撮像装置の実施例１の概略構成を示す概念図である。
【図２】図１に示した実施例１において信号の伝送を行うための動作を説明する第１のタイミングチャートである。
【図３】図１に示した実施例１において信号を伝送を行うための動作を説明する第２のタイミングチャートである。
【図４】本発明の実施例２における第１の端子と第２の端子の構成を示す図である。
【図５】本発明の実施例３における第１の端子と第２の端子の構成を示す図である。
【図６】従来の撮像装置の構成例を示す断面図である。
【図７】図６に示した従来例におけるフレキシブルプリント基板の構成を示す図である。
【符号の説明】
【００４２】
101 ，201 ，301   撮像素子ユニット
102   手振れ補正枠
103 ，203 ，303   主基板
104   Ｘ方向手振れ補正部
105   Ｙ方向手振れ補正部
106 ，206 ，306   撮像素子ユニット内配線
107 ，207 ，307   第１の端子
108 ，208 ，308   第２の端子
109 ，209 ，309   主基板配線  
110   フレキシブルプリント基板
111   撮像素子ユニット側コネクタ
112   主基板側コネクタ
120   撮像素子
121   タイミングジェネレータ（ＴＧ）
122   アナログフロントエンド（ＡＦＥ）
123   信号処理ＩＣ
124   電源ＩＣ
125   駆動制御部  
130   本体部
210   固定治具
310   復調回路
【図１】
2009111682.tif 000003
【図２】
2009111682.tif 000004
【図３】
2009111682.tif 000005
【図４】
2009111682.tif 000006
【図５】
2009111682.tif 000007
【図６】
2009111682.tif 000008
【図７】
2009111682.tif 000009